(57)【特許請求の範囲】
【請求項１】
複数の出力チャンネルと、複数の出力ポートと、出力パッチとを有するデジタルミキサにおいて、
前記各出力チャンネルの第１パラメータと、前記出力パッチの第２パラメータと、前記各出力ポートの第３パラメータとを含む、複数のパラメータを記憶する記憶部と、
オペレータによる結線変更操作に応じて、前記記憶部に記憶された前記第２パラメータを変更する結線変更部と、
表示器と、
ｎ個の操作子と、
オペレータによる出力チャンネル選択操作に応じて、前記複数の出力チャンネルのうちの、何れか１の出力チャンネルを選択する出力チャンネル選択部と、
前記出力チャンネル選択部により１の出力チャンネルが選択されたときに、前記第２パラメータに基づいて、当該出力チャンネルに結線された１又は複数の出力ポートを検出し、該検出された１又は複数の出力ポートを示す出力ポート情報を前記表示器に表示するとともに、該検出された１又は複数の出力ポートの１又は複数の第３パラメータを、前記ｎ個の操作子に割り当てるパラメータ割り当て部と、
オペレータによる前記ｎ個の操作子のうちの１の操作子の操作に応じて、前記記憶部に記憶された前記複数のパラメータのうちの、前記パラメータ割り当て部により当該操作子に割り当てられた第３パラメータの値を変更するパラメータ変更部と、
それぞれ、供給される音響信号を入力し、前記記憶部に記憶された第１パラメータに基づいて、該入力した音響信号の特性を制御し、該制御された音響信号を出力する前記複数の出力チャンネルと、
前記記憶部に記憶された第２パラメータが示す、前記複数の出力チャンネルと前記複数の出力ポートの間の結線に従って、前記各出力チャンネルが出力する音響信号を、その出力チャンネルが結線されている１又は複数の出力ポートに供給する前記出力パッチと、
それぞれ、供給される音響信号を入力し、前記記憶部に記憶された第３パラメータに基づいて、該入力した音響信号の特性を制御し、該制御された音響信号を外部に出力する前記複数の出力ポートと
を備えるデジタルミキサ。
【請求項２】
複数の出力チャンネルと、複数の出力ポートと、出力パッチとを有するデジタルミキサにおいて、
前記各出力チャンネルの第１パラメータと、前記出力パッチの第２パラメータと、前記各出力ポートの第３パラメータとを含む、複数のパラメータを記憶する記憶部と、
オペレータによる結線変更操作に応じて、前記記憶部に記憶された前記第２パラメータを変更する結線変更部と、
表示器と、
ｎ個の操作子と、
オペレータによるレイヤ選択操作に応じて、それぞれ、前記複数の出力チャンネルのうちのｎの出力チャンネルで構成される複数のレイヤのうちの、何れか１のレイヤを選択するレイヤ選択部と、
オペレータによる出力チャンネル選択操作に応じて、前記複数の出力チャンネルのうちの、何れか１の出力チャンネルを選択する出力チャンネル選択部と、
前記レイヤ選択部により１のレイヤが選択されたときには、当該レイヤに属するｎの出力チャンネルを示す出力チャンネル情報を前記表示器に表示するとともに、該ｎの出力チャンネルのｎの第１パラメータを、前記ｎ個の操作子に割り当て、また、前記出力チャンネル選択部により１の出力チャンネルが選択されたときには、前記第２パラメータに基づいて、当該出力チャンネルに結線された1又は複数の出力ポートを検出し、検出された1又は複数の出力ポートを示す出力ポート情報を前記表示器に表示するとともに、当該1又は複数の出力ポートの1又は複数の第３パラメータを、前記ｎ個の操作子に割り当てるパラメータ割り当て部と、
オペレータによる前記ｎ個の操作子のうちの１の操作子の操作に応じて、前記記憶部に記憶された前記複数のパラメータのうちの、前記パラメータ割り当て部により当該操作子に割り当てられたパラメータの値を変更するパラメータ変更部と、
それぞれ、供給される音響信号を入力し、前記記憶部に記憶された第１パラメータに基づいて、該入力した音響信号の特性を制御し、該制御された音響信号を出力する前記複数の出力チャンネルと、
前記記憶部に記憶された第２パラメータが示す、前記複数の出力チャンネルと前記複数の出力ポートの間の結線に従って、前記各出力チャンネルが出力する音響信号を、その出力チャンネルが結線されている1又は複数の出力ポートに供給する前記出力パッチと、
それぞれ、供給される音響信号を入力し、前記記憶部に記憶された第３パラメータに基づいて、該入力した音響信号の特性を制御し、該制御された音響信号を外部に出力する前記複数の出力ポートと
を備えるデジタルミキサ。
【請求項３】
前記パラメータ割り当て部が、更に、前記検出された1又は複数の出力ポートの1又は複数の第３パラメータを、前記表示器に表示することを特徴とする請求項１又は２に記載のデジタルミキサ。
【発明の詳細な説明】
【技術分野】
【０００１】
本発明は、複数チャンネルの音響信号に対して信号処理を施して出力するデジタルミキサに関し、詳しくは出力チャンネルの信号出力先となる出力ポートの設定に関する。
【背景技術】
【０００２】
デジタルオーディオミキサ（「デジタルミキサ」、または「ミキサ」とも言う）は、出力チャンネル毎にその出力先を割り当てる出力パッチを具備する。出力パッチにより、１つの出力ｃｈの出力信号を、その出力ｃｈに接続された所望の１又は複数の出力ポートから出力できた。本明細書において、「パッチ」とはオーディオ信号の入力元に出力先を割り当てることである。また、「チャンネル」を「ｃｈ」と表記することがある。従来のデジタルミキサにおいて、出力ｃｈに接続された出力ポート毎に音量レベルや遅延（ディレイ）といったパラメータを制御できるものがあった。これら音量レベルや遅延は、専ら、多数の出力ポート間におけるオーディオ信号の音量レベル差や伝搬時間差の調整に用いるものである（例えば下記特許文献１を参照）。
【先行技術文献】
【特許文献】
【０００３】
【特許文献１】特開２００６‐２５３９８２号公報
【発明の概要】
【発明が解決しようとする課題】
【０００４】
従来のデジタルミキサにおいて、或る出力ｃｈの出力信号が供給されている出力ポートに関するパラメータを制御する場合、オペレータの指示に応じてミキサに具備された複数の出力ポートの中から、その出力ｃｈに接続された出力ポートをオペレータが指定して、指定された出力ポートに関するパラメータの設定を行うという作業を行う必要があった。かかる構成では、出力ポート毎のパラメータ設定作業が煩雑であり、操作性が悪いという不都合があった。特に、１つの出力ｃｈに接続された複数の出力ポートについてパラメータを制御する場合には、その不都合が著しかった。
【０００５】
この発明は、上記の点に鑑みてなされたもので、１つの出力ｃｈに注目して、その出力チャンネルに接続された１又は複数の出力ポート毎のパラメータ設定を、簡便に行えるようにしたデジタルミキサを提供することを目的とする。
【課題を解決するための手段】
【０００６】
この発明は、複数の出力チャンネルと、複数の出力ポートと、出力パッチとを有するデジタルミキサにおいて、前記各出力チャンネルの第１パラメータと、前記出力パッチの第２パラメータと、前記各出力ポートの第３パラメータとを含む、複数のパラメータを記憶する記憶部と、オペレータによる結線変更操作に応じて、前記記憶部に記憶された前記第２パラメータを変更する結線変更部と、表示器と、ｎ個の操作子と、オペレータによる出力チャンネル選択操作に応じて、前記複数の出力チャンネルのうちの、何れか１の出力チャンネルを選択する出力チャンネル選択部と、前記出力チャンネル選択部により１の出力チャンネルが選択されたときに、前記第２パラメータに基づいて、当該出力チャンネルに結線された１又は複数の出力ポートを検出し、該検出された１又は複数の出力ポートを示す出力ポート情報を前記表示器に表示するとともに、該検出された１又は複数の出力ポートの１又は複数の第３パラメータを、前記ｎ個の操作子に割り当てるパラメータ割り当て部と、オペレータによる前記ｎ個の操作子のうちの１の操作子の操作に応じて、前記記憶部に記憶された前記複数のパラメータのうちの、前記パラメータ割り当て部により当該操作子に割り当てられた第３パラメータの値を変更するパラメータ変更部と、それぞれ、供給される音響信号を入力し、前記記憶部に記憶された第１パラメータに基づいて、該入力した音響信号の特性を制御し、該制御された音響信号を出力する前記複数の出力チャンネルと、前記記憶部に記憶された第２パラメータが示す、前記複数の出力チャンネルと前記複数の出力ポートの間の結線に従って、前記各出力チャンネルが出力する音響信号を、その出力チャンネルが結線されている１又は複数の出力ポートに供給する前記出力パッチと、それぞれ、供給される音響信号を入力し、前記記憶部に記憶された第３パラメータに基づいて、該入力した音響信号の特性を制御し、該制御された音響信号を外部に出力する前記複数の出力ポートとを備えるデジタルミキサである。
【発明の効果】
【０００７】
本発明によれば、オペレータが出力チャンネルを選択すると、選択された出力チャンネルに結線された複数の出力ポートの出力ポート情報（ポート名又はポート番号）を表示部に表示し、表示された各出力ポートのパラメータ（第３パラメータ）を複数ｎ個の操作子に割り当てて、オペレータによる操作子の操作に応じては、各出力ポートのパラメータを変更し、変更されたパラメータに基づいて音響信号を処理できる。従って、オペレータは、１つの出力チャンネルに着目して、その出力チャンネルの出力信号の出力先となる複数の出力ポートのパラメータの設定を、複数ｎ個の操作子を使用して効率よく行うことができるという優れた効果を奏する。
【図面の簡単な説明】
【０００８】
【図１】本発明の一実施例であるデジタルミキサの電気的ハードウェア構成を説明するブロック図。
【図２】図１のミキサが実行する音響信号処理の信号処理構成を説明するブロック図。
【図３】図２の出力チャンネルの信号処理構成を説明するブロック図。
【図４】図２の出力パッチ及び出力ポートの信号処理構成を説明するブロック図。
【図５】図１のデジタルミキサの操作パネル要部を示す平面図。
【図６】図３の操作パネルに備わるタッチパネル表示部に表示される画面を説明する図であって、（ａ）は通常のｃｈオーバービュー画面、（ｂ）は（ａ）の画面に出力ｃｈポップアップ表示をした状態。
【図７】ＳＥＬキーの操作に応じたイベント処理を説明するフローチャート。
【図８】フェーダ操作子の操作に応じたイベント処理を説明するフローチャート。
【図９】ロータリーエンコーダの操作に応じたイベント処理を説明するフローチャート。
【図１０】出力ポート設定用表示の別の表示形態を示す図。
【発明を実施するための形態】
【０００９】
以下に、本発明に係るデジタルオーディオミキサの一実施形態について、添付図面を参照して、説明する。
【００１０】
《ミキサ全体構成》
図１において、デジタルミキサデジタルオーディオミキサ（「デジタルミキサ」又は、単に「ミキサ」とも言う）１は、ＣＰＵ（Central Processing Unit、中央処理装置）１０、フラッシュメモリ１１、ＲＡＭ（Random Access Memory、ランダムアクセスメモリ）１２、操作子３、電動フェーダ４、表示器５、波形入出力インターフェース（波形Ｉ／Ｏ）６、信号処理部（ＤＳＰ（Digital Signal Processing）部）７、及び、その他Ｉ／Ｏ８を備え、各構成要素がバスライン９を介して接続される。
【００１１】
ＣＰＵ１０は、フラッシュメモリ１１又はＲＡＭ１２に記憶された制御プログラムを実行して、デジタルミキサ１の全体動作を制御する。フラッシュメモリ１１は、ＣＰＵ１０が実行する各種のプログラムや各種のデータなどを格納した不揮発性メモリである。ＲＡＭ１２は、ＣＰＵ１０が実行するプログラムのロード領域やワーク領域に使用する揮発性メモリである。フラッシュメモリ１１には、信号処理に用いる全てのパラメータの値（現在の設定値）を記憶したカレントメモリが設けられている。カレントメモリには、各出力チャンネルのパラメータ（第１パラメータ）と、出力パッチのパラメータ（第２パラメータ）と、各出力ポートのパラメータ（第３パラメータ）を含む。
【００１２】
操作子３、電動フェーダ４及び表示器５は、ミキサ１の操作パネル２上に設けられたユーザインターフェースである。表示器５は、表示パネルに対するタッチ操作による入力が可能なタッチパネル式ディスプレイにより構成され、ＣＰＵ１０からバス９を介して与えられた表示制御信号に基づいて各種画面を表示できる。操作子３及び電動フェーダ４は、操作パネル上に配置された操作子群である。電動フェーダ４は、フェーダ型操作子であり、オペレータが操作できるとともに、ＣＰＵ１０から与えられる駆動制御信号に基づいて操作位置が自動制御される。ＣＵＰ１０は、操作子３、電動フェーダ４及びタッチパネル式ディスプレイ５の操作を受けて、パラメータの値を調整する。本明細書においてパラメータの値を調整する（変更する）とは、カレントメモリに記憶されている当該操作に該当するパラメータの値を、当該操作に応じた値へ変更し、変更後の値をＤＳＰ部７や表示器５へ反映することである。
【００１３】
波形Ｉ／Ｏ６は、オーディオ信号を入出力するためのインターフェースであって、図中の矢印で示すように、アナログオーディオ信号やデジタルオーディオ信号を外部機器から入力するための複数の入力ポート、アナログオーディオ信号やデジタルオーディオ信号を外部機器へ出力するための複数の出力ポートを含む。さらに、アナログデジタル変換（ＡＤ変換）、デジタルアナログ変換（ＤＡ変換）、及びデジタル変換（フォーマット変換）を行うための機構を含む。また、ミキサ１は、その他Ｉ／Ｏ８を介してその他の周辺機器を接続できる。
【００１４】
ＤＳＰ部７は、ＣＰＵ１０の指示に基づいて各種のマイクロプログラムを実行することにより、カレントメモリに記憶された各種のパラメータの値に基づいて、波形Ｉ／Ｏ６経由で外部機器から入力されたオーディオ信号に対するデジタル信号処理を行い、処理後のオーディオ信号を波形Ｉ／Ｏ１３経由で外部機器へ出力する。ＤＳＰ部７が実行する信号処理は、ミキシング処理、効果付与処理及び音特性（音量レベルや音質）制御処理等である。ＤＳＰ部７は、１つのＤＳＰ（Digital Signal Processor）で構成してもよいし、バスで相互接続された複数のＤＳＰで構成し、複数のＤＳＰで信号処理を分散処理するようにしてもよい。
【００１５】
ＤＳＰ部７は、ＣＰＵ１０の指示に基づいて各種のマイクロプログラムを実行することにより、フラッシュメモリ１１に設けられたカレントメモリに記憶された現在の各種パラメータの設定に基づいて、波形Ｉ／Ｏ６を介して入力されたデジタルオーディオ信号に対するデジタル信号処理を行い、処理結果を波形Ｉ／Ｏ６を介して外部に出力する。ＤＳＰ部７が実行する信号処理には、複数の論理的信号処理ｃｈ毎の音特性調整処理、複数ｃｈの信号を混合するミキシング処理、及び効果付与処理等が含まれる。
【００１６】
《信号処理の構成》
図２は、図１の波形Ｉ／Ｏ６及びＤＳＰ部７で行われるオーディオ信号に対する信号処理の構成を説明するブロック図である。図２において、アナログ入力部（Ａ入力）２０及びデジタル入力部（Ｄ入力）２１は、波形Ｉ／Ｏ１３のオーディオ信号入力機能（主に、ＡＤ変換、フォーマット変換、複数の入力ポート）に相当する。
【００１７】
入力パッチ部２２は、カレントメモリに記憶された入力パッチのパッチ設定データが示す入力ポートと入力ｃｈの間の結線（接続）に従って、各入力ポートから入力された音響信号を、その入力ポートが結線（接続）されている１又は複数の入力ｃｈに供給する。オペレータによるパッチ設定変更操作に応じて、ＣＰＵ１０は、カレントメモリに記憶された入力パッチのパッチ設定データを変更する。これにより、オペレータは、入力ポートと入力ｃｈの間の結線（入力ポートに対する入力ｃｈの割り当て）を指定できる。各入力ｃｈに接続できる入力ポートは１つだけであり、１つの入力ｃｈに複数の入力ポートを同時に接続することはできない。
【００１８】
入力ｃｈ部２３は、２４個の入力ｃｈを持つ。各入力ｃｈ２３は、入力パッチ２２により割り当てられた入力ポートから入力されるオーディオ信号に対して、カレントメモリの対応するパラメータの値に基づき、ヘッドアンプゲイン、アッテネータ、ディレイ、フェーズ切り替え、ＥＱ（イコライザ）、コンプレッサ、音量レベル制御、チャンネルオン・オフ、後段のＭＩＸバス２４へのセンドレベル、及びパン等の各種の信号処理を行い、信号処理後のオーディオ信号を、バスセンドオンオフの設定に従い、後段のＭＩＸバス２４のうちの任意の１又は複数のバスへ出力する。
【００１９】
１２本あるＭＩＸバス２４のそれぞれは、入力ｃｈ部２３から供給されたオーディオ信号をミキシングし、ミキシング後のオーディオ信号を後段のＭＩＸ出力ｃｈ部２６へ出力する。また、ＳＴバス２５は、ステレオ２系統（Ｌ及びＲ）の２本で１組のバスからなり、入力ｃｈ部２３から供給されたオーディオ信号をミキシング処理して、ミキシング結果のステレオ信号を、後段のステレオ出力ｃｈ部２７へ供給する。
【００２０】
ＭＩＸ出力ｃｈ部２６は、２４本のＭＩＸバス２４のそれぞれに対応する２４個のＭＩＸ出力ｃｈを持つ。図３は１つの出力ｃｈ２６の構成例であり、１つの出力ｃｈ２６は、対応する１本のＭＩＸバス２４に接続されており、コンプレッサやＥＱ（イコライザ）等を含む音特性調整パラメータ４０、入力された信号の音量レベルを制御する音量フェーダ４１、及び、出力ｃｈ２６の信号出力オンオフを設定するｃｈオンオフ４２を備える。各ＭＩＸ出力ｃｈ２６は、対応するＭＩＸバス２４から入力されるオーディオ信号に対して、カレントメモリに記憶された各出力ｃｈのパラメータ（第１パラメータ）のうちの対応するパラメータの値に基づき、ＥＱ、コンプレッサ、音量レベル制御、及びチャンネルオン・オフ等の各の信号処理を行い、信号処理後のオーディオ信号を後段の出力パッチ部３０へ出力する。
【００２１】
また、ステレオ（ＳＴ）出力ｃｈ部２７は、ＳＴバス２５に対応する２本で１組の出力ｃｈを持ち、対応するＭＩＸバス２４から入力されるオーディオ信号に対して、カレントメモリに記憶された各出力ｃｈのパラメータ（第１パラメータ）のうちの対応するパラメータの値に基づき、ＥＱ、コンプレッサ、音量レベル制御、及びチャンネルオン・オフ等の各種の信号処理を行い、信号処理後のオーディオ信号を後段の出力パッチ部３０へ出力する。
【００２２】
また各ＭＩＸ出力ｃｈ２６及びＳＴ出力ｃｈ２７の出力信号は、各出力ｃｈのマトリックスバスセンドオンオフ設定に従い、６本のＭＡＴＲＩＸバス２８のうちの任意の１又は複数のバスにも供給できる。マトリックス（ＭＡＴＲＩＸ）バス２８は、６本のバスラインからなり、各バス毎にＭＩＸ出力ｃｈ２６又はステレオ出力ｃｈ２７から供給された１又は複数のオーディオ信号を混合して、ミキシング結果を各バスに対応するＭＡＴＲＩＸ出力ｃｈ２９に供給する。６本のＭＡＴＲＩＸ出力ｃｈ２９は、対応するＭＡＴＲＩＸバス２５の出力信号が供給される信号処理ｃｈであって、図３のＭＩＸ出力ｃｈ２６と同様な構成及び機能を持つ。各ＭＡＴＲＩＸ出力ｃｈ２９の出力信号は出力パッチ３０へ出力される。
【００２３】
出力パッチ部３０は、カレントメモリに記憶された出力パッチのパッチ設定データ（第２パラメータ）が示す出力ｃｈと出力ポートの間の結線（接続）に従って、ＭＩＸ出力ｃｈ２６、ＳＴ出力ｃｈ２７及びＭＡＴＲＩＸ出力ｃｈ２９の各出力ｃｈが出力する音響信号を、その出力ｃｈが結線されている１又は複数の出力ポートに供給する。オペレータは、操作子３及び表示器５に表示された出力パッチ設定画面（結線変更部）から各出力ポートに出力ｃｈを接続する操作（結線変更操作）を行うことができる。オペレータによる結線変更操作に応じて、ＣＰＵ１０は、カレントメモリに記憶された出力パッチのパッチ設定データ（第２パラメータ）を変更する。これにより、オペレータは、出力ｃｈと出力ポートの間の結線（接続）を指定できる。各出力ポートに接続できる出力ｃｈは１つだけであり、１つの出力ポートに複数の出力ｃｈを同時に接続することはできない。
【００２４】
また、出力ポートパラメータ３１（出力ポートの第３パラメータ）は、出力ポート毎に出力信号を処理するパラメータ（音量レベル制御や遅延制御）であり、ＤＳＰ部７の信号処理により実現される。各出力ｃｈの出力信号は、出力ポートパラメータ３１に応じた音量レベル制御及び遅延制御を介して、出力パッチ部３０により接続された出力ポートから出力される。Ａ出力３２及びＤ出力３３は、波形Ｉ／Ｏ６のオーディオ信号出力機能（主に、ＤＡ変換、フォーマット変換、複数の出力ポート）に相当する。
【００２５】
《出力パッチ及び出力ポートの信号処理構成》
図４において、「ＭＩＸ１」〜「ＭＩＸ１２」は１２本の各ＭＩＸ出力ｃｈからの出力を示し、「ＳＴ＿Ｌ」及び「ＳＴ＿Ｒ」は、ＳＴ出力ｃｈ２７のＬｃｈからの出力及びＲｃｈからの出力を示す。「Ａｏ１」〜「Ａｏ２４」はＡ出力３２として具備された２４個のアナログ出力ポートを示す。また、「Ｄｏ１−８」〜「Ｄｏ２５−３２」はＤ出力３３として具備された３２個のデジタル出力ポートを示す。１つのデジタル出力ポート用端子は８つの出力ポートの信号を出力できるよう構成されており、例えば、図において「Ｄｏ１−８」は、８つの出力ポート「Ｄｏ１」〜「Ｄｏ８」であるが、ハードウェア的には１つのデジタル出力ポート用端子で構成される。
【００２６】
各ＭＩＸ出力ｃｈの出力「ＭＩＸ１」〜「ＭＩＸ１２」、及び、ＳＴ出力ｃｈのステレオ出力「ＳＴ＿Ｌ」及び「ＳＴ＿Ｒ」は、出力パッチ部３０によって、アナログ出力ポート「Ａｏ１」〜「Ａｏ２４」及びデジタル出力ポート「Ｄｏ１」〜「Ｄｏ３２」に接続され、各出力ｃｈの出力信号が、そのｃｈに接続された出力ポートから出力される。例えば、ＭＩＸ出力ｃｈ「ＭＩＸ３」はＡｏ５、Ｄｏ４及びＤｏ３２の３つの出力ポートに接続される。
【００２７】
各アナログ出力ポート「Ａｏ１」〜「Ａｏ２４」及びデジタル出力ポート「Ｄｏ１」〜「Ｄｏ３２」の各出力ポート毎に、音量レベル制御部３４と遅延制御部３５が設けられている。音量レベル制御部３４及び遅延制御部３５は、図２の出力ポートパラメータ３１に対応する。各レベル制御部３４は、カレントメモリの対応するパラメータ（出力ポートの第３パラメータ）の値に基づいて、出力ポート毎に出力信号の音量レベルを制御し、各遅延制御部３５は、カレントメモリの対応するパラメータ（出力ポートの第３パラメータ）の値に基づいて、出力ポート毎に出力信号の遅延量を制御する。
【００２８】
各アナログ出力ポート「Ａｏ１」〜「Ａｏ２４」のそれぞれに対応して、ＤＡコンバータ３６（「Ｄ／Ａ１」〜「Ｄ／Ａ２４」）が設けられている。ＤＡコンバータ３６により、出力ｃｈの出力信号をアナログオーディオ信号に変換して、対応するアナログ出力ポート「Ａｏ１」〜「Ａｏ２４」から出力する。また、複数のデジタル出力ポート「Ｄｏ１」〜「Ｄｏ３２」に対応して、１つのデジタル出力部３７（「Ｄｉｇｉｔａｌ  Ｏｕｔ」）が設けられている。デジタル出力部３７により、出力ｃｈの出力信号をフォーマット変換して、各出力ｃｈの信号をそれぞれ割り当てられた出力ポート「Ｄｏ１」〜「Ｄｏ３２」に対応する端子（「Ｄｏ１−８」〜「Ｄｏ２５−３２」のいずれか）から出力する。
【００２９】
すなわち、出力ポートパラメータ３１、Ａ出力３２及びＤ出力３３からなる複数の出力ポートは、それぞれ、出力パッチ３０により接続された出力ｃｈから供給された音響信号を入力し、カレントメモリに記憶された出力ポートのパラメータ（第３パラメータに基づいて）、該入力した音響信号の特性（音量レベルや遅延量）を制御して、制御された音響信号を外部に出力する。
【００３０】
《操作パネルの構成》
図５に操作パネル２要部の構成例であり、大別して、タッチパネル１００と、ｃｈストリップ部１２０と、送出レベル設定部１３０が設けられている（図１の操作子３、電動フェーダ４、表示器１５に相当）。また、カーソルキー１０１〜１０４はタッチパネル１００上で、カーソルを上下左右方向に移動するために用いる。インクリメントキー１０５及びデクリメントキー１０６は、カーソル位置に表示された数値等を増減するために用いる。ＥＮＴＥＲキー１０７はカーソル位置に対応する数値や命令等を確定するために用いる。
【００３１】
レイヤ選択キー１０８〜１１２は、それぞれ、８本のｃｈを１組とするレイヤが割り当てられており、いずれか１つが択一的にオン状態となり、タッチパネル１００におけるｃｈオーバービュー画面の表示対象、及び、ｃｈストリップ部１２０の制御対象となる１つのレイヤを選択する。各レイヤ（レイヤ１、レイヤ２、レイヤ３、マスタ１、及びマスタ２）には、それぞれ固有のレイヤ番号ＬＮが付与される。
【００３２】
例えば、「レイヤ１」は入力ｃｈ（ＣＨｉ１）〜入力ｃｈ（ＣＨｉ８）、「レイヤ２」は入力ｃｈ（ＣＨｉ９）〜入力ｃｈ（ＣＨｉ１６）、「レイヤ３」は（ＣＨｉ１７）〜入力ｃｈ（ＣＨｉ２４）、「マスタ１」はＭＩＸ出力ｃｈ（ＭＩＸ１）〜ＭＩＸ出力ｃｈ（ＭＩＸ６）及びＳＴ出力ｃｈ、「マスタ２」はＭＩＸ出力ｃｈ（ＭＩＸ７）〜ＭＩＸ出力ｃｈ（ＭＩＸ１２）及びＳＴ出力ｃｈがそれぞれ割り当てられる。
【００３３】
ｃｈストリップ部１２０は、互いに並列に配置された８本のｃｈストリップ１２１からなる。各ｃｈストリップ１２１には、レイヤ選択キー１０８〜１１２により選択された１つのレイヤに属する８本の入力ｃｈ又は出力ｃｈが割り当てられる。各ｃｈストリップ１２１にはそれぞれ固有のｃｈストリップ番号（ｉ）が付与される。
【００３４】
各ｃｈストリップ１２１は、タッチパネル１００上で選択された１つのパラメータを割り当て可能なロータリーエンコーダ１２２、当該ｃｈを選択ｃｈとして選択するＳＥＬキー１２３、当該ｃｈのオン／オフを切り替えるｃｈオンオフキー１２４、ＣＵＥモニタするｃｈを選択するＣＵＥキー１２５、及び、図１の電動フェーダ４に対応するフェーダ操作子１２６を具備する。
【００３５】
送出レベル設定部１３０には、１２個のロータリーエンコーダ１３１が設けられており、各ロータリーエンコーダ１３１に対して、ｃｈストリップ部１２０のＳＥＬキー１２３により選択された１つのｃｈ（選択ｃｈ）からバスへの送出レベルが割り当てられる。オペレータは１つのロータリーエンコーダ１３１を操作することで、選択ｃｈから当該エンコーダ１３１に対応するバスへのセンドレベルを調整できる。
【００３６】
タッチパネル１００には、通常は、レイヤ選択キー１０８〜１１２により選択された１つのレイヤに属する８本の入力ｃｈ又は出力ｃｈのパラメータのうちの主要な一部を表示するｃｈオーバービュー画面２００が表示される。
【００３７】
図６（ａ）は、ｃｈオーバービュー画面２００の構成例を示す。図６（ａ）では、入力ｃｈ（ＣＨｉ１）〜入力ｃｈ（ＣＨｉ８）からなるレイヤがレイヤ選択キー１０８〜１１２により選択され、且つ、入力ｃｈ（ＣＨｉ３）がＳＥＬキー１２３により選択ｃｈに設定された状態を示している。
【００３８】
ｃｈオーバービュー画面２００には、ｃｈストリップ部１２０の８本のｃｈストリップ１２１の配置に対応して並べられたｃｈストリップ領域２０１と、送出レベル設定部１３０に対応する送出設定領域２０２が設けられている。
【００３９】
各ｃｈストリップ領域２０１には、それぞれ対応するｃｈストリップ１２１に割り当てられている信号処理ｃｈのパラメータを示す複数のＧＵＩ画像が表示される。各ｃｈストリップ領域２０１には、それぞれ割り当てられている信号処理ｃｈを特定するチャンネル名又はチャンネル番号等の出力チャンネル情報が表示される。ｃｈストリップ領域２０１に表示されたパラメータの１つにカーソル位置を合わせることで、カーソル位置のパラメータが、その領域２０１に対応するｃｈストリップ１２１のロータリーエンコーダ１２２の制御対象に設定される。図６（ａ）では、カーソルにより選択中のパラメータを示す画像を太枠表示で示した。また、図においてハッチングされた各パラメータを示す画像は、その設定状態がオフ（白抜きはオン）であることを示す。
【００４０】
選択ｃｈ（ＣＨｉ３）に対応するｃｈストリップ領域２０１は、選択ｃｈであることが表示態様（太枠表示）により明示される。送出設定領域２０２には、選択ｃｈから各バスへの信号送出設定に関するパラメータが、バス毎に表示される。１つのバスに対する信号送出設定に関するパラメータを表示する領域２０３には、バスセンドレベル、バスセンドオンオフ、或いは、プリ・ポストフェーダ信号切り替えを示すＧＵＩ画像が表示される。送出設定領域２０２の各領域２０３は、送出レベル設定部１３０の１２個のロータリーエンコーダ１３１に対応しており、各領域２０３内のパラメータ（典型的にはバスセンドレベル）を、対応するエンコーダ１３１で調整できる。
【００４１】
なお、各領域２０３内のハッチングされた各パラメータは、その設定状態がオフ（白抜きはオン）であることを示す。また、網掛けはそのバスタイプがＦＩＸタイプであること（非網掛けはＶＡＲＩタイプ）を示している。なお、バタイプがＦＩＸタイプのＭＩＸバスは、センドレベルがノミナルレベルで固定され、２本のＭＩＸバスを１組とするグループ出力に使う。図６（ａ）では「ＭＩＸ１」と「ＭＩＸ２」、及び「ＭＩＸ９」と「ＭＩＸ１０」がグループ設定されたＦＩＸタイプのバスである。
【００４２】
《第１実施形態》
操作パネル２には、「出力ｃｈポート設定ポップアップ画面」をタッチパネル１００に表示させるために用いるポート設定キー１２８が具備されている。出力ｃｈポート設定ポップアップ画面は、ＳＥＬキー１２３により選択された出力ｃｈ（選択出力ｃｈ）について、その出力ｃｈが接続された複数の出力ポートを列挙し、且つ、列挙された出力ポートを特定する出力ポート名や出力ポート番号等の出力ポート情報を表示し、更に、各出力ポートの出力ポートパラメータ３１（図２、図４を参照）も表示する。ポート設定キー１２８を押しつつ、ＳＥＬキー１２３を操作したときに、「出力ｃｈポート設定ポップアップ画面」が図６（ａ）に示すｃｈオーバービュー画面２００の上に重ねてポップアップ表示される構成になっている。従って、ｃｈストリップ部１２０に呼び出されたレイヤが出力ｃｈ系（ＭＩＸ出力ｃｈ２６、ＳＴ出力ｃｈ２７或いはＭＡＴＲＩＸ出力ｃｈ２９）のときにだけ、ポート設定キー１２８に対する操作が有効となる。
【００４３】
《出力ｃｈポート設定ポップアップ画面の表示》
図７は、或るｃｈストリップ（ｉ）のＳＥＬキー１２３が操作されたときに、ＣＰＵ１０が実行するイベント処理を説明するフローチャートである。ステップＳ１において、ＣＰＵ１は、操作されたＳＥＬキー１２３に対応する信号処理ｃｈを特定する情報ＣＨ（ＬＮ，ｉ）を、選択ｃｈパラメータＳＣにセットする。チャンネル特定情報は、当該ｃｈが属するレイヤのレイヤ番号（ＬＮ）と、当該操作されたＳＥＬキー１２３が属するｃｈストリップのｃｈストリップ番号（ｉ）に基づいてなる。レイヤ番号（ＬＮ）とｃｈストリップ番号（ｉ）の組み合わせにより、１つのｃｈを特定できる。
【００４４】
ステップＳ２において、ＣＰＵ１０は、選択ｃｈ（ＳＣ＿ｃｈ）に基づいて、ベース画面（ｃｈオーバービュー画面２００）の表示内容を更新する。これにより、操作されたＳＥＬキー１２３に対応するｃｈストリップ領域２０１が太枠で表示され、且つ、送出設定領域２０２には、当該選択ｃｈ（ＳＣ＿ｃｈ）から各バスへの信号送出設定に関するパラメータが表示される。
【００４５】
ステップＳ３において、ＣＰＵ１は、選択ｃｈ（ＳＣ＿ｃｈ）が出力ｃｈ系かどうか調べる。出力ｃｈ系とは、ＭＩＸ出力ｃｈ２６、ＳＴ出力ｃｈ２７或いはＭＡＴＲＩＸ出力ｃｈ２９である。選択ｃｈ（ＳＣ＿ｃｈ）が出力系ｃｈであり（ステップＳ３のＹＥＳ）、且つ、ポート設定キー１２８が押下操作中の場合（ステップＳ４のＹＥＳ）、ＣＰＵ１０は、ポップアップ画面の表示有無及び画面種類を示すポップアップ画面パラメータＰＵＤに、出力ｃｈポート設定ポップアップ画面を示す値「ＣＯＰＳ」をセットして（ステップＳ５）、カレントメモリのパッチ設定データに基づいて、当該選択出力ｃｈ（ＳＣ＿ｃｈ）に接続された複数の出力ポートを検出する（ステップＳ６）。
【００４６】
ステップＳ７において、ＣＰＵ１０は、検出された複数の出力ポートを表示対象とする出力ｃｈポート設定ポップアップ画面３００を、ｃｈオーバービュー画面２００上にポップアップ表示し、且つ、選択出力ｃｈ（ＳＣ＿ｃｈ）に接続された複数の出力ポートを特定する出力ポート名や出力ポート番号等の出力ポート情報を表示する。更に、ＣＰＵ１０は、各出力ポートの出力ポートパラメータ（図２の符号３１、図４の符号３４，３５）を、ｃｈストリップ部１２０の各ｃｈストリップ１２１に割り当てる。これにより、タッチパネル１００上には、選択ｃｈ（ＳＣ＿ｃｈ）に接続された複数の出力ポートを表示対象とする出力ｃｈポート設定ポップアップ画面が表示される。
【００４７】
また、ポート設定キー１２８が押下操作中でない場合（ステップＳ４のＮＯ）、又は、選択ｃｈ（ＳＣ＿ｃｈ）が出力系ｃｈ以外の場合（ステップＳ３のＮＯ）、ステップＳ８において、ＣＰＵ１０は、ＰＵＤの値に基づいてその他ポップアップ画面が表示中か否かを調べる。ＰＵＤが０以外の場合（「ＰＵＤ＝０」、ステップＳ８のＹＥＳ）、ＰＵＤの値に対応する何らかのポップアップ画面が表示中である。この場合、ＣＰＵ１０は、選択ｃｈパラメータＳＣに基づいて、当該表示中のポップアップ画面の表示内容を更新する（ステップＳ９）。その他のポップアップ画面は例えば、イコライザ設定画面やエフェクタ設定画面などである。他方、ポップアップ画面が表示されていない場合（「ＰＵＤ＝０」、ステップＳ８のＮＯ）、ＣＰＵ１０は本処理を終了する。
【００４８】
図６（ｂ）は出力ｃｈポート設定ポップアップ画面の構成例である。出力ｃｈポート設定ポップアップ画面３００は、ベース画面（ｃｈオーバービュー画面２００）の８つのｃｈストリップ領域２０１の上に重ねて、ｃｈオーバービュー画面２００と下端位置を合わせて表示される。なお、図６（ｂ）では、ｃｈオーバービュー画面２００に対して出力ｃｈ系（ＭＩＸ出力ｃｈ）のレイヤが選択されており、且つ、左から３番目のｃｈストリップ領域２０１に割り当てられたＭＩＸ出力ｃｈ（ＣＨｏ３）が選択ｃｈ（Ｓ＿ｃｈ）として選択された状態を示す。
【００４９】
出力ｃｈポート設定ポップアップ画面３００には、選択された出力ｃｈ（Ｓ＿ｃｈ）に接続された複数の出力ポートが、ｃｈストリップ１２１の配置に対応して並べられた８つの出力ポート設定領域３０１に１つずつ割り当てられる。図６（ｂ）の例では、ＭＩＸ出力ｃｈ（ＣＨｏ３）に接続された３つの出力ポート（アナログ出力Ａｏ５、デジタル出力Ｄｏ４、及びデジタル出力Ｄｏ３２）が、それぞれ出力ポート設定領域３０１に割り当てられる。この場合、３つの出力ポート設定領域３０１にのみ出力ポートが割り当てられ、残りの５つの領域３０１は空欄となる。
【００５０】
出力ポート設定領域３０１には、割り当てられた出力ポートを特定する出力ポート名や出力ポート番号等の出力ポート情報（図において、各領域３０１に示された文字列「Ａｏ５」，「Ｄｏ４」，「Ｄｏ３２」，）が表示され、且つ、その出力ポートの音量レベル３０２と、同出力ポートの遅延パラメータ３０３と、同出力ポートのミュートオンオフ設定３０４が表示される。出力ポートのパラメータ３０２、３０３、３０４は、それぞれ、カレントメモリの対応するパラメータに基づいて、各パラメータの設定値に対応する形態で表示される。なお、音量レベル３０２はツマミ画像の位置により、現在の音量レベル値を示し、遅延パラメータ３０３はツマミ画像の回転角度により現在の遅延量を示し、また、ミュートオンオフ設定３０４は白抜き／ハッチングによりオンオフ設定状態を示している。
【００５１】
各出力ポート設定領域３０１に対応するｃｈストリップ１２１には、それぞれ対応する領域３０１に表示された出力ポートパラメータが割り当てられる。例えば、フェーダ操作子１２６に対して音量レベル３０２が、また、ロータリーエンコーダ１２２に対して遅延パラメータ３０３、また、ｃｈオンオフキー１２４に対してミュートオンオフ設定３０４がそれぞれ割り当てられる。従って、出力ｃｈポート設定ポップアップ画面３００の表示中は各ｃｈストリップ１２１の操作子を使って、選択された出力ｃｈ（選択出力ｃｈ）が接続された複数の出力ポートの出力ポートパラメータを、出力ポート毎に制御できる。
【００５２】
なお、出力ポートの割り当てがない出力ポート設定領域３０１（空欄の領域３０１）に対応するｃｈストリップ１２１に対する操作は、出力ｃｈポート設定ポップアップ画面３００の表示中は無効となる。
【００５３】
《フェーダ操作子のイベント処理》
図８は、或るｃｈストリップ（ｉ）のフェーダ操作子１２６が操作されたときに、ＣＰＵ１０が実行するイベント処理を説明するフローチャートである。ＣＰＵ１０は、フェーダ操作子１２６（ｉ）の操作に応じて変更されたツマミ位置ｐを検出する。ステップＳ１０において、ＣＰＵ１０は、制御対象ｃｈパラメータｃに、操作されたフェーダ操作子１２６に対応するｃｈを特定する情報ＣＨ（ＬＮ，ｉ）をセットする。ステップＳ１１において、ＣＰＵ１０は、制御対象ｃｈ（ｃ＿ｃｈ）が入力ｃｈ系か出力ｃｈ系かを判断する。
【００５４】
制御対象ｃｈ（ｃ＿ｃｈ）が出力ｃｈ系の場合（ステップＳ１１の出力ｃｈ系）、ステップＳ１２において、ＣＰＵ１０は、ＰＵＤの値に基づいて出力ｃｈポート設定ポップアップ画面が表示中かどうかを調べる。同画面を表示中の場合（ステップＳ１２のＹＥＳ）、ＣＰＵ１０は、制御対象ｃｈ（ｃ＿ｃｈ）のｃｈストリップ番号（ｉ）に基づいて、当該ｃｈストリップ（ｉ）に対応する出力ポート設定領域３０１に割り当てられた出力ポートを特定し、現在の選択中出力ｃｈ（ＳＣ＿ｃｈ）から特定された出力ポートへの音量レベル（音量レベル制御部３４の値）を、今回検出されたツマミ位置ｐに応じて変更する。
【００５５】
また、制御対象ｃｈ（ｃ＿ｃｈ）が出力ｃｈ系であっても、出力ｃｈポート設定ポップアップ画面が非表示の場合（ステップＳ１２のＮＯ）、或るいは、制御対象ｃｈ（ｃ＿ｃｈ）が入力ｃｈ系（ステップＳ１１の入力ｃｈ系）であり、且つ、制御対象ｃｈ（ｃ＿ｃｈ）のフェーダモードが通常モード（ＳＯＦ＝０）の場合（ステップＳ１４のＮＯ）は、ＣＰＵ１０は、制御対象ｃｈ（ｃ＿ｃｈ）の音量レベルの値を、今回検出されたツマミ位置ｐに応じて変更する（ステップＳ１５）。
【００５６】
また、制御対象ｃｈ（ｃ＿ｃｈ）が入力ｃｈ系（ステップＳ１１の入力ｃｈ系）であり、且つ、その制御対象ｃｈ（ｃ＿ｃｈ）のフェーダモードがセンズ・オン・フェーダモード（ＳＯＦ≠０）の場合（ステップＳ１４のＮＯ）は、ＣＰＵ１０は、制御対象ｃｈ（ｃ＿ｃｈ）からＳＯＦ対象のバスへのセンドレベルの値を、今回検出されたツマミ位置ｐに応じて変更する（ステップＳ１６）。なお、センズ・オン・フェーダモードとは、フェーダ操作子を用いてバスセンドレベルを制御するモードである。
【００５７】
《エンコーダのイベント処理》
図９は、或るｃｈストリップ（ｉ）のロータリーエンコーダ１２２が操作されたときに、ＣＰＵ１０が実行するイベント処理を説明するフローチャートである。ＣＰＵ１０はエンコーダ１２２の操作に応じた回転変化量Δθを検出する。ステップＳ１７において、ＣＰＵ１０は、制御対象ｃｈパラメータｃに、操作されたロータリーエンコーダ１２２に対応するｃｈを特定する情報ＣＨ（ＬＮ，ｉ）をセットする。ステップＳ１８において、ＣＰＵ１０は、ＰＵＤの値に基づきポップアップ画面の表示有無／画面種別を判断する。
【００５８】
出力ｃｈポート設定ポップアップ画面を表示中の場合（ステップＳ１８の「ＰＵＤ＝ＣＯＰＳ」）、ＣＰＵ１０は、制御対象ｃｈ（ｃ＿ｃｈ）のｃｈストリップ番号（ｉ）に基づいて、ｃｈストリップ番号（ｉ）に対応する出力ポート設定領域３０１に割り当てられた出力ポートを特定し、選択中の出力ｃｈ（ＳＣ＿ｃｈ）から特定された出力ポートへの遅延量（遅延制御部３５の値）を、今回検出された回転変化量Δθに応じて、変更する（ステップＳ１９）。
【００５９】
出力ｃｈポート設定ポップアップ画面以外のポップアップ画面が表示中の場合（ステップＳ１８の「それ以外」）、ＣＰＵ１０は、表示中のポップアップ画面において当該エンコーダ１２２（ｉ）に割り当てられたパラメータの値を、今回検出されたエンコーダ１２２（ｉ）の回転変化量Δθに応じて、変更する（ステップＳ２０）。
また、ポップアップ画面が表示されていない場合（ステップＳ１８の「ＰＵＤ＝０」）、ＣＰＵ１０は、制御対象ｃｈ（ｃ＿ｃｈ）のｃｈストリップ領域２０１にてカーソルにより指摘されているパラメータ（当該エンコーダ１２２（ｉ）に割り当てられたパラメータ）を、今回検出された回転変化量Δθに応じて、変更する（ステップＳ２１）。
【００６０】
また、ｃｈオンオフキー１２４（ｉ）が操作されたときは、ＣＰＵ１０は、操作されたｃｈオンオフキー１２４の値（オン又はオフ）を取得し、制御対象ｃｈパラメータｃに、操作されたｈオンオフキー１２４（ｉ）に対応するチャンネルを特定する情報ＣＨ（ＬＮ，ｉ）をセットする。そして、制御対象ｃｈ（ｃ＿ｃｈ）が出力ｃｈ系であり、且つ、出力ｃｈポート設定ポップアップ画面が表示中（ＰＵＤ＝ＣＯＰＳ）の場合に、ＣＰＵ１０は、制御対象ｃｈ（ｃ＿ｃｈ）のｃｈストリップ番号（ｉ）に基づいて、当該ｃｈストリップ番号（ｉ）に対応する出力ポート設定領域３０１に割り当てられた出力ポートを特定し、現在の選択中出力ｃｈ（ＳＣ＿ｃｈ）から特定された出力ポートへの信号送出を遮断する制御（ミュート制御）を行う。ミュート制御では、当該出力ポートの音量レベル制御部３４の値に関わらず、出力ポートの音量レベルを−∞に設定することで、出力ポートの出力信号をミュートする。制御対象ｃｈ（ｃ＿ｃｈ）が入力ｃｈ系の場合、あるいは、出力ｃｈポート設定ポップアップ画面が非表示の場合は、通常通り、ｃｈオンオフキー１２４（ｉ）の操作に応じて、制御対象ｃｈ（ｃ＿ｃｈ）からの信号出力がオン又はオフされる。
【００６１】
出力ｃｈポート設定ポップアップ画面３００は、画面左上のポップアップ画面終了ボタン３０５の操作により閉じる。出力ｃｈポート設定ポップアップ画面３００が閉じた後、各ｃｈストリップ１２１には、それぞれ対応する出力ｃｈのパラメータが割り当てられる。
【００６２】
以上説明した本発明の第１実施形態によれば、オペレータが、ポート設定キー１２８及びＳＥＬキー１２３を用いて１つの出力ｃｈを選択すると、選択された出力ｃｈ（ＳＣ＿ｃｈ）に接続された複数の出力ポートの出力ポートパラメータが出力ｃｈポート設定ポップアップ画面３００に並べて表示され、表示された各出力ポートパラメータを、それぞれ対応するｃｈストリップ１２１により調整できるようになる。従って、オペレータは、１つの出力ｃｈに着目して、その出力ｃｈの出力信号の出力先となる複数の出力ポートの出力ポートパラメータの設定を、ｃｈストリップ部１２０に備わる一群の操作子を使用して効率よく行うことができるという優れた効果を奏する。
【００６３】
なお、出力ポートの割り当てがない出力ポート設定領域３０１（空欄の領域３０１）に対応するｃｈストリップ１２１に対する操作は無効とせず、その操作によりベース画面（ｃｈオーバービュー画面２００）の内容を制御できるよう構成してもよい。
なお、ポート設定キー１２８を押しつつ、ＳＥＬキー１２３を操作したときに、「出力ｃｈポート設定ポップアップ画面」が表示される構成（ポート設定キー１２８の押下状態でのＳＥＬキー１２３の操作を表示トリガとする例）を説明したが、ポート設定キー１２８に応じて、ＳＥＬキー１２３で選択中の出力ｃｈについて、「出力ｃｈポート設定ポップアップ画面」が表示される構成にしてもよい。
【００６４】
《第２実施例》
送出設定領域２０２内に出力ｃｈポート設定部を表示する構成であってもよい。図６（ｂ）に示す通り、選択ｃｈが出力ｃｈ（ＣＨｏ３）の場合、送出設定領域２０２において、ＭＩＸ出力ｃｈ（ＣＨｏ３）から６本のＭＡＴＲＩＸバスへの信号送信設定に関するパラメータが、６箇所の領域２０３に表示され、６箇所の領域２０３は空欄となる。図１０は、送出設定領域２０２内に出力ｃｈポート設定部４００を表示する構成例である。出力ｃｈポート設定部４００には、送出レベル設定部１３０の所定の６つのロータリーエンコーダ１３１に対応する配置で並べられた６つの領域４０１が設けられている。各領域４０１は、選択出力ｃｈ（ＣＨｏ３）に接続される出力ポートが割り当てられ、割り当てられた出力ポートを特定する出力ポート番号や出力ポート名等の出力ポート情報（図において、文字列「Ａｏ５」、「Ｄｏ４」、「Ｓｏ３２」）が表示され、且つ、各出力ポートの出力ポートパラメータ（図２の符号３１、図４の符号３５、３６）を表示する。この場合、各領域４０１に表示されたパラメータは、各領域４０１に対応するロータリーエンコーダ１３１に割り当てられる。
【００６５】
この第２実施形態の構成では、選択ｃｈが出力ｃｈ（ＣＨｏ３）の場合には、送出設定領域２０２内に出力ｃｈポート設定部４００を常時表示しておくことが可能となる。よって、ポート設定キー１２８が不要であり、また、出力ｃｈポート設定画面をポップアップ表示させるという手順も不要である。ＣＰＵ１０が出力ｃｈポート設定部４００を表示するために実行する処理を簡単に説明する。ＣＰＵ１０は、ＳＥＬキ（ｉ）の操作に応じて、選択ｃｈ（ＳＣ＿ｃｈ）をセットし（図８のステップＳ２）、セットされた選択ｃｈ（ＳＣ＿ｃｈ）に基づいてベース画面（ｃｈオーバービュー画面）の表示内容を更新する（図８のステップＳ３）ときに、更新内容の１つとして、選択ｃｈが出力ｃｈ系のときに送出設定領域２０２内に、選択ｃｈ（ＳＣ＿ｃｈ）について出力ｃｈポート設定部４００を表示し、且つ、選択ｃｈ（ＳＣ＿ｃｈ）に接続された各出力ポートの出力ポートパラメータ３１を、各領域４０１に対応するロータリーエンコーダ１３１に割り当てる。
【００６６】
本発明の第２実施形態によれば、オペレータがＳＥＬキー１２３を押すことにより１つの出力ｃｈを選択すると、選択された出力ｃｈ（ＳＣ＿ｃｈ）に接続された複数の出力ポートが送出設定領域２０２内の出力ｃｈポート設定部４００に並べて表示され、表示された各出力ポート毎の出力ポートパラメータを、それぞれ対応するロータリーエンコーダ１３１で調整できるようになる。従って、オペレータは、１つの出力ｃｈに着目して、その出力ｃｈの出力信号の出力先となる複数の出力ポートの出力ポートパラメータの設定を、送信レベル部１３０に備わる一群の操作子を使用して効率よく行うことができるという優れた効果を奏する。
【００６７】
なお、送出設定領域２０２内に出力ｃｈポート設定部４００を常時表示する構成の変更例として、送出設定領域２０２内に表示する内容として、ＭＡＴＲＩＸバスへの送出設定部（領域２０３）及び出力ｃｈポート設定部４００のいずれかをオペレータが選択できるように構成してもよい。
【００６８】
なお、上述の実施例では、出力ｃｈから出力ポートへの経路に設けられたパラメータを、出力ポート毎に制御する構成を述べたが、入力ポートから入力ｃｈへの経路上のパラメータを、入力ポート毎に制御する構成にも本発明を適用しうる。
【００６９】
なお、本発明を適用するミキサ１は、操作パネル２、波形Ｉ／Ｏ６、及びＤＳＰ部７が１つの筐体に納められて構成されるものであってもよいし、機能毎に独立した装置をネットワーク経由で接続するミキシングシステムであってもよい。
【符号の説明】
【００７０】
１  デジタルオーディオミキサ、２  操作パネル、３  操作子、４  電動フェーダ、５  表示器、６  波形Ｉ／Ｏ、７  ＤＳＰ部、８  その他Ｉ／Ｏ、９  バスライン、１０  ＣＰＵ、１１  フラッシュメモリ、１２  ＲＡＭ、２０  アナログ入力、２１  デジタル入力、２２  入力パッチ部、２３  入力ｃｈ部、２４  ＭＩＸバス、２５  ＳＴバス、２６  ＭＩＸ出力ｃｈ部、２７  ＳＴ出力ｃｈ部、２８  ＭＡＴＲＩＸバス、２９  ＭＡＴＲＩＸ出力ｃｈ部、３０  出力パッチ部、３１  出力ポートパラメータ制御部、３２  アナログ出力部、３３  デジタル出力部、１１０  タッチパネル、１２０  ｃｈストリップ部、１２８  ポート設定キー、３００  出力ｃｈポート設定ポップアップ画面、３０１  出力ポート設定領域、４００  出力ｃｈポート設定部
【図１】
0005387472.tif 000002
【図２】
0005387472.tif 000003
【図３】
0005387472.tif 000004
【図４】
0005387472.tif 000005
【図５】
0005387472.tif 000006
【図６】
0005387472.tif 000007
【図７】
0005387472.tif 000008
【図８】
0005387472.tif 000009
【図９】
0005387472.tif 000010
【図１０】
0005387472.tif 000011